(57)【要約】【課題】携帯電話と同じ電話番号でＩＰ電話による通話を行う。【解決手段】ＩＰ電話機３１又は３６は他の携帯電話機で用いられるＵＩＭカード１２５が着脱可能なインタフェースを備える。ＩＰ電話機３１又は３６は他の携帯電話機の代わりにＵＩＭカード１２５が装着されると、ＵＩＭカード１２５が装着された旨の通知とＵＩＭカード１２５に格納された情報とをＩＰ電話管理サーバ３５に送信する。ＩＰ電話管理サーバ３５は受信した情報を携帯電話管理サーバ２３に送信する。携帯電話管理サーバ２３は受信した情報をＵＩＭカード１２５に格納された携帯電話番号の転送先番号として記憶する。ＵＩＭカード１２５に格納された携帯電話番号に発呼があると、携帯電話管理サーバ２３はＩＰ電話管理サーバ３５に転送呼び出しを通知し、ＩＰ電話管理サーバ３５はＵＩＭカード１２５が装着されたＩＰ電話機３１又は３６を発呼し通話を行う。【選択図】図１
2008017359.tif 000002
【特許請求の範囲】
【請求項１】
第１の識別情報が割り当てられており、該第１の識別情報に基づいて相手端末と通信を行う通信手段と、
前記第１の識別情報とは異なる第２の識別情報を記憶する記憶媒体の着脱を判別する判別手段と、
前記判別手段により前記記憶媒体が装着されたと判別された場合、前記記憶媒体に記憶されている前記第２の識別情報で特定される通信装置宛の通信を前記第１の識別情報で特定される自装置に転送させるための転送情報を生成し、生成した転送情報を、通信の発着信を管理する管理装置に送信する通信制御手段と、
を備えることを特徴とする通信装置。
【請求項２】
前記判別手段により前記記憶媒体が取り外されたと判別された場合、前記通信制御手段は、前記第２の識別情報で特定される通信装置宛の通信を前記第１の識別情報で特定される通信装置に転送させることを停止させるための転送停止情報を前記管理装置に送信する、
ことを特徴とする請求項１に記載の通信装置。
【請求項３】
前記通信手段はインターネットを介した通信が可能であり、前記通信装置はＩＰ(Internet Protocol)移動電話装置である、ことを特徴とする請求項２に記載の通信装置。
【請求項４】
前記通信手段はインターネットを介した通信が可能であり、前記通信装置はＩＰ(Internet Protocol)固定電話装置である、ことを特徴とする請求項２に記載の通信装置。
【請求項５】
前記通信手段は、第１の通信方式に基づいて、前記第１の識別情報が割り当てられており、第１の通信方式で基地局を介して相手端末と通信を行う第１の通信手段と、記録媒体に記録されている第２の識別情報が割り当てられ、第２の通信方式で基地局を介して相手端末と通信を行う第２の通信手段と、を備え、
前記第２の通信手段による基地局との通信が途絶えたときに、前記記憶媒体に記憶されている前記第２の識別情報で特定される自装置宛の通信を前記第１の識別情報で特定される自装置に転送させるための転送情報を生成し、生成した転送情報を、発着信を管理する管理装置に送信する、
ことを特徴とする請求項１乃至４の何れか１項に記載の通信装置。
【請求項６】
第２の通信方式で通信を行う第２の通信ネットワークに接続された第１の通信方式で通信を行う第１の通信ネットワーク上での通信を管理する管理装置であって、
前記第２の通信ネットワーク上の装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶する転送情報記憶手段と、
前記第１の通信方式用の所定の識別情報で特定される前記第１の通信ネットワーク上の通信装置宛の通信が発信されたときに、前記転送情報記憶手段に記憶された転送情報を検索し、対応する転送情報が記憶されているときには、該転送情報に従って、前記第２の通信方式用の特定の識別情報で特定される前記第２の通信ネットワーク上の通信装置宛に通信を転送し、対応する転送情報が記憶されていないときには、前記第１の通信方式用の所定の識別情報で特定される前記第１の通信ネットワーク上の通信装置に通信を接続する通信制御手段と、
を備えることを特徴とする管理装置。
【請求項７】
第１の通信方式で通信を行う第１の通信ネットワークに接続された第２の通信方式で通信を行う第２の通信ネットワーク上での通信を管理する管理装置であって、
前記第２の通信ネットワーク上の通信装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶する転送情報記憶手段と、
前記第１の通信ネットワークから転送されてきた、前記第１の通信方式用の所定の識別情報で特定される前記第１の通信ネットワーク上の通信装置宛の通信を、前記転送情報記憶手段により記憶された転送情報に従って、対応する前記第２の通信方式用の特定の識別情報で特定される前記第２の通信ネットワーク上の通信装置に接続する通信制御手段と、
を備えることを特徴とする管理装置。
【請求項８】
コンピュータを、
第１の識別情報が割り当てられており、該第１の識別情報に基づいて相手端末と通信を行う通信手段、
前記第１の識別情報とは異なる第２の識別情報を記憶する記憶媒体の着脱を判別する判別手段、
前記判別手段により前記記憶媒体が装着されたと判別された場合、前記記憶媒体に記憶されている前記第２の識別情報で特定される通信装置宛の通信を前記第１の識別情報で特定される自装置に転送させるための転送情報を生成し、生成した転送情報を、通信の発着信を管理する管理装置に送信する通信制御手段、
として機能させるためのプログラム。
【請求項９】
第２の通信方式で通信を行う第２の通信ネットワークに接続された第１の通信方式で通信を行う第１の通信ネットワーク上での通信を管理する管理装置を制御するためのコンピュータを、
前記第２の通信ネットワーク上の装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶する転送情報記憶手段、
前記第１の通信方式用の所定の識別情報で特定される前記第１の通信ネットワーク上の通信装置宛の通信が発信されたときに、前記転送情報記憶手段により記憶された転送情報を検索し、対応する転送情報が記憶されているときには、該転送情報に従って、前記第２の通信方式用の特定の識別情報で特定される前記第２の通信ネットワーク上の通信装置宛に通信を転送し、対応する転送情報が記憶されていないときには、前記第１の通信方式用の所定の識別情報で特定される前記第１の通信ネットワーク上の通信装置に通信を接続する通信制御手段、
として機能させるためのプログラム。
【請求項１０】
第１の通信方式で通信を行う第１の通信ネットワークに接続された第２の通信方式で通信を行う第２の通信ネットワーク上での通信を管理する管理装置を制御するためのコンピュータを、
前記第２の通信ネットワーク上の通信装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶させる転送情報記憶手段、
前記第１の通信ネットワークから転送されてきた、前記第１の通信方式用の所定の識別情報で特定される前記第１の通信ネットワーク上の通信装置宛の通信を、前記転送情報記憶手段により記憶された転送情報に従って、対応する前記第２の通信方式用の特定の識別情報で特定される前記第２の通信ネットワーク上の通信装置に接続する通信制御手段、
として機能させるためのプログラム。
【発明の詳細な説明】
【技術分野】
【０００１】
この発明は、複数の電話番号でＩＰ電話による通話を行うために好適な通信装置、管理装置、及び、プログラムに関する。
【背景技術】
【０００２】
現在広く普及している携帯電話機にはＵＩＭ（User Identity Module）カードと呼ばれるメモリカードが装着されている。ＵＩＭカードには電話番号等の契約者情報、ユーザの作成した電話帳、クレジットカード決済用情報などが記憶される。ＵＩＭカードをある携帯電話機から別の携帯電話機に差し替えることにより、差し替え後の携帯電話機で、ＵＩＭカードに記録された電話番号によって発呼及び着呼が可能である。
【０００３】
また、近年、通話元と通話先との間の通信経路の一部にインターネットを利用したいわゆるＩＰ（Internet Protocol）電話が普及してきている。ＩＰ電話は携帯電話網や一般電話網の代わりに音声をＩＰで伝送するＶｏＩＰ（Voice over IP）技術を利用し、できるだけＩＰネットワークを経由して通信を行うため、比較的安い接続料金で通話することできる。そして、ＩＰ電話を用いた様々な通信サービスが可能になってきている。例えば、特許文献１には、ＵＭＩカードを用いた転送機能付きの電話システムが開示されている。
【０００４】
特許文献１に開示された電話システムでは、メモリカードを転送先ＩＰ電話機に装着すると、メモリカード内の転送元ＩＰ電話機に関する情報が読み取られ、転送元及び転送先（ＵＭＩカードが装着されたＩＰ電話機）に係る転送情報が生成され、電話サーバと転送元ＩＰ電話機に登録される。その後、第３のＩＰ電話機から転送元ＩＰ電話機に電話がかかると、転送元ＩＰ電話機から、転送依頼付きの呼制御データが発信元の第３のＩＰ電話機に返送され、これを受けて発信元の第３のＩＰ電話機は、転送先ＩＰ電話機を発呼先とする呼制御データを生成し、転送先ＩＰ電話機に送信する。
【特許文献１】特開２００５−２１７６４３号公報
【発明の開示】
【発明が解決しようとする課題】
【０００５】
特許文献１に開示された構成によれば、メモリカードを用いて固定電話機であるＩＰ電話機同士で転送して通話することはできても、ＵＭＩカードを用いて携帯電話機からＩＰ電話機に転送して通話することはできない。
【０００６】
また、第３のＩＰ電話機から転送元ＩＰ電話機に電話がかかると、一旦、転送元ＩＰ電話機から呼制御データを発信元の第３のＩＰ電話機に返送し、これを受けて第３のＩＰ電話機が、転送先ＩＰ電話機を発呼先とする呼制御データを生成し、転送先ＩＰ電話機に送信するという転送スキームであるため、転送に時間がかかる。
【０００７】
この発明は、上記実情に鑑みてなされたものであり、携帯電話と同じ電話番号でＩＰ電話による通話を行うために好適な通信装置、管理装置、及び、プログラムを提供することを目的とする。
【課題を解決するための手段】
【０００８】
上記目的を達成するため、本発明の第１の観点に係る通信装置は、
第１の識別情報が割り当てられており、該第１の識別情報に基づいて相手端末と通信を行う通信手段と、
前記第１の識別情報とは異なる第２の識別情報を記憶する記憶媒体の着脱を判別する判別手段と、
前記判別手段により前記記憶媒体が装着されたと判別された場合、前記記憶媒体に記憶されている前記第２の識別情報で特定される通信装置宛の通信を前記第１の識別情報で特定される自装置に転送させるための転送情報を生成し、生成した転送情報を、通信の発着信を管理する管理装置に送信する通信制御手段と、
を備えることを特徴とする。
【０００９】
前記判別手段により前記記憶媒体が取り外されたと判別された場合、前記通信制御手段は、前記第２の識別情報で特定される通信装置宛の通信を前記第１の識別情報で特定される通信端送信に転送させることを停止させるための転送停止情報を前記管理装置に送信する、ようにしてもよい。
【００１０】
例えば、前記通信手段はインターネットを介した通信が可能であり、前記通信装置はＩＰ移動電話装置である。
【００１１】
例えば、前記通信手段はインターネットを介した通信が可能であり、前記通信装置はＩＰ固定電話装置である。
【００１２】
例えば、前記通信手段は、第１の通信方式に基づいて、前記第１の識別情報が割り当てられており、第１の通信方式で基地局を介して相手端末と通信を行う第１の通信手段と、記録媒体に記録されている第２の識別情報が割り当てられ、第２の通信方式で基地局を介して相手端末と通信を行う第２の通信手段と、を備え、前記第２の通信手段による基地局との通信が途絶えたときに、前記記憶媒体に記憶されている前記第２の識別情報で特定される自装置宛の通信を前記第１の識別情報で特定される自装置に転送させるための転送情報を生成し、生成した転送情報を発着信を管理する管理装置に送信する、ように構成してもよい。
【００１３】
上記目的を達成するため、本発明の第２の観点に係る管理装置は、
第２の通信方式で通信を行う第２の通信ネットワークに接続された第１の通信方式で通信を行う第１の通信ネットワーク上での通信を管理する管理装置であって、
前記第２の通信ネットワーク上の装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶する転送情報記憶手段と、
前記第１の通信方式用の所定の識別情報で特定される前記第１の通信ネットワーク上の通信装置宛の通信が発信されたときに、前記転送情報記憶手段に記憶された転送情報を検索し、対応する転送情報が記憶されているときには、該転送情報に従って、前記第２の通信方式用の特定の識別情報で特定される前記第２の通信ネットワーク上の通信装置宛に通信を転送し、対応する転送情報が記憶されていないときには、前記第１の通信方式用の所定の識別情報で特定される前記第１の通信ネットワーク上の通信装置に通信を接続する通信制御手段と、
を備えることを特徴とする。
【００１４】
上記目的を達成するため、本発明の第３の観点に係る管理装置は、
第１の通信方式で通信を行う第１の通信ネットワークに接続された第２の通信方式で通信を行う第２の通信ネットワーク上での通信を管理する管理装置であって、
前記第２の通信ネットワーク上の通信装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶する転送情報記憶手段と、
前記第１の通信ネットワークから転送されてきた、前記第１の通信方式用の所定の識別情報で特定される前記第１の通信ネットワーク上の通信装置宛の通信を、前記転送情報記憶手段により記憶された転送情報に従って、対応する前記第２の通信方式用の特定の識別情報で特定される前記第２の通信ネットワーク上の通信装置に接続する通信制御手段と、
を備えることを特徴とする。
【００１５】
上記目的を達成するため、本発明の第４の観点に係るプログラムは、
コンピュータを、
第１の識別情報が割り当てられており、該第１の識別情報に基づいて相手端末と通信を行う通信手段、
前記第１の識別情報とは異なる第２の識別情報を記憶する記憶媒体の着脱を判別する判別手段、
前記判別手段により前記記憶媒体が装着されたと判別された場合、前記記憶媒体に記憶されている前記第２の識別情報で特定される通信装置宛の通信を前記第１の識別情報で特定される自装置に転送させるための転送情報を生成し、生成した転送情報を、通信の発着信を管理する管理装置に送信する通信制御手段、
として機能させることを特徴とする。
【００１６】
上記目的を達成するため、本発明の第５の観点に係るプログラムは、
第２の通信方式で通信を行う第２の通信ネットワークに接続された第１の通信方式で通信を行う第１の通信ネットワーク上での通信を管理する管理装置を制御するためのコンピュータを、
前記第２の通信ネットワーク上の装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶する転送情報記憶手段、
前記第１の通信方式用の所定の識別情報で特定される前記第１の通信ネットワーク上の通信装置宛の通信が発信されたときに、前記転送情報記憶手段により記憶された転送情報を検索し、対応する転送情報が記憶されているときには、該転送情報に従って、前記第２の通信方式用の特定の識別情報で特定される前記第２の通信ネットワーク上の通信装置宛に通信を転送し、対応する転送情報が記憶されていないときには、前記第１の通信方式用の所定の識別情報で特定される前記第１の通信ネットワーク上の通信装置に通信を接続する通信制御手段、
として機能させることを特徴とする。
【００１７】
上記目的を達成するため、本発明の第６の観点に係るプログラムは、
第１の通信方式で通信を行う第１の通信ネットワークに接続された第２の通信方式で通信を行う第２の通信ネットワーク上での通信を管理する管理装置を制御するためのコンピュータを、
前記第２の通信ネットワーク上の通信装置からの要求に応じて、前記第１の通信方式用の所定の識別情報で特定される前記第１の通信ネットワーク上の通信装置宛の通信を、前記第２の通信方式用の特定の識別情報で特定される前記第２の通信ネットワーク上の通信装置に転送させるための転送情報を記憶させる転送情報記憶手段、
前記第１の通信ネットワークから転送されてきた、前記第１の通信方式用の所定の識別情報で特定される前記第１の通信ネットワーク上の通信装置宛の通信を、前記転送情報記憶手段により記憶された転送情報に従って、対応する前記第２の通信方式用の特定の識別情報で特定される前記第２の通信ネットワーク上の通信装置に接続する通信制御手段、
として機能させることを特徴とする。
【発明の効果】
【００１８】
この発明によれば、携帯電話宛ての着信等をＩＰ電話で受信する等、第２の識別情報で特定される通信装置宛の通信を第１の識別情報で特定される自装置に転送することが可能となる。
【発明を実施するための最良の形態】
【００１９】
以下、本発明の実施形態に係る通信システム１について説明する。
【００２０】
図１に示すように、この通信システム１は、通常の移動通信網２とインターネット（ＩＰ網）３と、電話機２４，３１，３６から構成される。
【００２１】
移動通信網２は、携帯電話サービスを提供するための通信網である。移動通信網２には、交換機２１と携帯電話管理サーバ２３とが接続されている。交換機２１は移動通信網２に接続され、携帯電話機２４同士の接続や携帯電話機２４と他の通信網との接続を行う。交換機２１には、基地局２２が接続されている。基地局２２は、携帯電話機２４と直接無線交信する装置である。基地局２２は、自己の担当エリアに存在する携帯電話機２４を登録する。基地局２２は、登録している携帯電話機２４から送信される所定の周波数の電波を受信し、あるいは、登録している携帯電話機２４に所定の周波数の電波を送信する。なお、設置される交換機２１及び基地局２２の数、及び、用いられる携帯電話機２４の数は任意である。携帯電話管理サーバ２３は、携帯電話システムの全体を管理するサーバ装置であり、例えば移動通信網２の加入者に関する情報（加入者番号、メールアドレスなど）を記憶する。
【００２２】
移動通信網２はＶｏＩＰ(Voice over IP)ゲートウェイ４を経由してインターネット３に接続される。ＶｏＩＰゲートウェイ４は、両通信網間でプロトコル変換を行って通信を可能とするもので、移動通信網２から入力された音声を符号化してＩＰパケットに変換してインターネット３上に提供したり、インターネット３上のＩＰパケットを復号化して音声に変換したりすることにより、移動通信網２とインターネット３とを接続する。
【００２３】
インターネット３には、他の様々な装置と共にＩＰ固定電話機３１や基地局３２がＶｏＩＰルータ３３、３４を介しても接続される。また、インターネット３には、ＩＰ電話管理サーバ３５が接続されている。
【００２４】
ＩＰ固定電話機３１は、音声をＩＰで伝送するＶｏＩＰ技術を利用して通話ができる固定電話機である。
基地局３２は、無線ＬＡＮ等を用いてＩＰ移動電話機３６に接続するための装置である。
ＶｏＩＰルータ３３，３４は、ＶｏＩＰ技術に基づいて、音声信号を伝送するルータ装置である。
【００２５】
ＩＰ電話管理サーバ３５は、ＩＰ電話システムの全体を管理するサーバであり、例えばＩＰ電話サービスの加入者に関する情報（ＩＰ加入者番号、ＩＰアドレスなど）を記憶し管理する。
【００２６】
なお、通信システム１には、携帯電話網２及びインターネット３のほかに一般電話網（図示せず）などの他の通信網が互いに接続されており通話を行うことができる。
【００２７】
次に、ＩＰ移動電話機３６の構成について説明する。ＩＰ移動電話機３６は、図２に示すように、無線通信部１０１と、操作部１０２と、表示部１０３と、音声処理部１０４と、制御部１０５と、カードＩ／Ｆ（InterFace）１０６と、記憶部１０７と、バス１１０とを備える。
【００２８】
無線通信部１０１は、制御部１０５から提供される音声信号（ベースバンド信号）を変調し、アンテナ１１１を介して送信する。また、無線通信部１０１は、アンテナ１１１を介して特定周波数の信号を受信し、これを復調して、音声信号（ベースバンド信号）を復調して、バス１１０を介して制御部１０５に供給する。
操作部１０２は、キーボード等を備え、キー操作を受け付けて、キー操作に対応するキーコード信号を制御部１０５に供給する。
【００２９】
表示部１０３は、液晶表示素子、表示ドライバ、フレームバッファなどを備え、ユーザへのメッセージやメニューなどの各種の画像を表示する。
音声処理部１０４には、マイクロフォン１１２とスピーカ１１３とが接続されている。マイクロフォン１１２は、ユーザの発声音等を集音し、アナログ音声信号を音声処理部１０４に供給する。音声処理部１０４は、アナログ音声信号をＡ／Ｄ（アナログ・デジタル）変換して、ディジタル音声信号に変換して制御部１０５に供給する。また、音声処理部１０４は、制御部１０５から供給されるディジタル音声信号をアナログ音声信号に変換し、スピーカ１１３に供給し、放音させる。
【００３０】
カードＩ／Ｆ１０６は、着脱可能なＵＩＭカード１２５との接続を行いデータの入出力を行う。
【００３１】
ＵＩＭカード１２５は、図３（ａ−１）に示すように、ユーザ識別情報、事業者情報、携帯電話番号、携帯メールアドレスなどの情報を格納している。ユーザ識別情報は、このＵＩＭカード１２５の所有者を識別するための情報である。事業者情報は、このＵＩＭカード１２５を発行した通信事業者を特定するための情報である。携帯電話番号は、このＵＩＭカード１２５が装着された携帯電話機２４の電話番号である。携帯メールアドレスは、このＵＩＭカード１２５が装着された携帯電話機２４が受信する電子メールの受信アドレスである。図３（ａ−２）にＵＩＭ記憶情報の一例を示す。この例では、ユーザ識別情報は、「ykuz23456」、事業者情報は、「通信事業者Ａ」，携帯電話番号は、「０９０−８７６５―４３２１」、携帯メールアドレスは「urs2@keitai.ne.jp」である。
【００３２】
記憶部１０７は、ＲＡＭ(Random Access Memory)、ＲＯＭ(Read Only Memory)などから構成され、ＩＰ電話番号情報格納領域１０７ａ、ＵＩＭ記憶情報格納領域１０７ｂ、転送情報格納領域１０７ｃ、プログラム格納領域１０７ｄなどを備える。
ＩＰ電話番号情報格納領域１０７ａは、このＩＰ移動電話機３６に固有のＩＰ電話番号及びＩＰメールアドレスを記憶する。
【００３３】
ＵＩＭ記憶情報格納領域１０７ｂは、カードＩ／Ｆ１０６に装着されたＵＩＭカード１２５に格納されている情報の写しを格納する。
【００３４】
転送情報格納領域１０７ｃは、ＵＩＭカード１２５に格納されている携帯電話番号及び携帯メールアドレス宛の通信（呼）及び電子メールを、このＩＰ移動電話機３６に転送させるための情報（転送情報）を格納する。転送情報は、図３（ｂ−１）に示すように、このＩＰ移動電話機３６のＩＰ電話番号及びＩＰメールアドレス、カードＩ／Ｆ１０６に装着されたＵＩＭカード１２５に格納されているユーザ識別情報、事業者情報、携帯電話番号、携帯メールアドレスなどの情報を含む。転送情報の具体例を図３（ｂ−２）に示す。この例では、転送先のＩＰ電話番号は「０５０−２３４５−６７８９」、転送先のＩＰメールアドレスは「usr2@ipdenwa.ne.jp」、転送元のユーザ識別情報は「ykuz23456」、事業者情報は「通信事業者Ａ」、携帯電話番号は「０９０−８７６５−４３２１」、携帯メールアドレスは「usr2@keitai.ne.jp」である。
【００３５】
プログラム格納領域１０７ｄは、制御部１０５の動作プログラムを格納する。制御部１０５は、記憶部１０７のプログラム格納領域１０７ｄに記憶された動作プログラムに従って、ＩＰ電話機３１全体の制御を行う。制御部１０５が実行する処理の詳細は後述する。
【００３６】
ＩＰ固定電話機３１も図２に示すＩＰ移動電話機３６と同様の構成を有する。ただし、無線通信部１０１とアンテナ１１１とは、有線の通信部に置き換えられる。
【００３７】
携帯電話機２４の回路構成も、基本的に図２に示す回路構成と同一である。ただし、送受信される信号のプロトコルは、インターネットプロトコルではなく、移動通信網２用のプロトコルである。
【００３８】
次に、携帯電話管理サーバ２３の構成について図４（ａ）を参照して説明する。
携帯電話管理サーバ２３は、携帯電話システムの全体を管理するサーバ装置であり、メインフレームやワークステーションなどといった情報処理装置から構成される。
携帯電話管理サーバ２３は、制御部３０１、通信部３０２、記憶部３０３を備える。
制御部３０１は、例えば、ＣＰＵやワークエリアとなる所定の記憶装置（ＲＡＭなど）から構成され、記憶部３０３に記憶されているＯＳやプログラム等に従って携帯電話管理サーバ２３の各部を制御するとともに、後述する各種の処理を実行する。
【００３９】
通信部３０２は、ＮＩＣ（Network Interface Card）やルータ、モデム、などといった所定の通信装置から構成される。
【００４０】
記憶部３０３は、ハードディスク装置などから構成され、携帯電話管理情報格納領域３０３ａ、転送情報格納領域３０３ｂ、プログラム格納領域３０３ｃを備える。
携帯電話管理情報格納領域３０３ａは、移動通信網２上で使用される携帯電話機２４の携帯電話番号、現在位置、等の情報を格納する。
【００４１】
転送情報格納領域３０３ｂは、ＵＩＭカード１２５が装着されたＩＰ電話機３１又は３６毎に、ＵＩＭカード１２５に格納されている携帯電話番号宛の通信（呼）及び携帯メールアドレス宛の電子メールをこのＩＰ移動電話機３１又は３６に転送させるための情報（転送情報）を格納する。転送情報は、図４（ｂ）に例示するように、ＩＰ電話機３１又は３６に装着されたＵＩＭカード１２５に格納されている携帯電話番号及び携帯メールアドレスと、その携帯電話番号宛の通信（呼）及び携帯メールアドレス宛の電子メールを転送するＩＰ移動電話機３１又は３６のＩＰ電話番号（ＩＰアドレスでもよい）及びＩＰメールアドレスとを対応づけて記憶する。
プログラム格納領域３０３ｃは、携帯電話管理サーバ２３の全体を制御するためのＯＳやプログラムを格納している。
【００４２】
このように構成される携帯電話管理サーバ２３は、例えば、ＩＰ電話管理サーバ３５からの通知に応答して、あるUIMカード１２５に格納されている携帯電話番号と、そのUIMカード１２５が装着されたＩＰ電話機（移動、固定）の電話番号とを対応付けて転送情報格納領域３０３ｂに登録し、以後、その携帯電話番号宛の通信を対応するIP電話番号宛に転送する処理を実行する。また、携帯電話管理サーバ２３は、任意のＩＰ電話管理サーバ３５から、あるUIMカード１２５に係る携帯電話番号に対応するＩＰ電話に関する情報を削除する旨の要求を受け付けて、記憶部３０３の転送情報格納領域３０３ｂに記憶された転送情報を削除する。
【００４３】
次に、ＩＰ電話管理サーバ３５の構成について、図５を参照して説明する。
ＩＰ電話管理サーバ３５は、ＩＰ電話システムの全体を管理するサーバであり、メインフレームやワークステーションなどといった情報処理装置から構成される。ＩＰ電話管理サーバ３５は、図５に示すように、制御部４０１と、通信部４０２と、記憶部４０３とを備える。
【００４４】
制御部４０１は、例えば、ＣＰＵやワークエリアとなる所定の記憶装置（ＲＡＭなど）から構成され、記憶部４０３に記憶されるＯＳやプログラム等に従ってＩＰ電話管理サーバ３５の各部を制御するとともに、後述する各種の処理を実行する。
【００４５】
通信部４０２は、ＮＩＣやルータ、モデム、などといった所定の通信装置から構成される。
【００４６】
記憶部４０３は、ハードディスク装置などから構成され、ＩＰ電話管理情報格納領域４０３ａ、転送情報格納領域４０３ｂ、プログラム格納領域４０３ｃを備える。
ＩＰ電話管理情報格納領域４０３ａは、インターネット３上で使用されるＩＰ電話機３１又は３６のＩＰ電話番号、ＩＰアドレス、ユーザ識別情報、等の情報が登録されている。
転送情報格納領域４０３ｂには、図４（ｂ）に示すような転送情報が格納されている。
プログラム格納領域４０３ｃには、ＩＰ電話管理サーバ３５の全体を制御するためのＯＳやプログラムが格納されている。
【００４７】
このように構成されるＩＰ電話管理サーバ３５は、例えば、ＩＰ電話機３１、３６から、そのＩＰ電話からの登録要求を受け付けて、そのＩＰ電話機に装着されたＵＩＭカード１２５に格納された携帯電話番号とＩＰ電話に関する情報とを対応づけて記憶部４０３に記憶する。また、ＩＰ電話機３１，３６からＵＩＭカード１２５が取り外された際に送信されてくる削除要求を受け付けて、記憶部４０３に記憶された転送情報を削除する。なお、詳細については後述する。
【００４８】
（動作）
次に、本実施形態に係る通信システム１の動作について説明する。
なお、以下では、理解を容易にするため、ＩＰ固定電話機３１とＩＰ移動電話機３６のうち、ＩＰ固定電話機３１を例に動作を説明する。
【００４９】
本通信システム１は、ＩＰ電話機３１にＵＩＭカード１２５が装着された際に、そのＵＩＭカード１２５に格納されている携帯電話番号宛ての電話及び携帯メールアドレス宛の電子メールが、そのＩＰ固定電話機３１に転送される点に特徴を有する。以下、この特徴点を中心に説明する。
【００５０】
このような転送機能を実現するため、ＩＰ固定電話機３１にＵＩＭカード１２５が装着されと、通信システム１は、電話及び電子メールを転送するための転送情報をＩＰ固定電話機３１とＩＰ電話管理サーバ３５と携帯電話管理サーバ２３に登録する処理を行う。この転送情報登録処理を、図６を参照して説明する。
【００５１】
（転送情報登録処理）
まず、ＩＰ固定電話機３１にＵＩＭカード１２５が装着される（ステップＳ１０１）と、制御部１０５は、ＵＩＭカード１２５に格納されている内容を読み取って、ＩＰ固定電話機３１のＵＩＭ記憶情報格納領域１０７ｂに格納する（ステップＳ１０２）。
【００５２】
続いて、制御部１０５は、転送元の情報（即ち、ＵＩＭカード１２５に格納されている携帯電話番号と携帯メールアドレス）と、転送先の情報（即ち、このＩＰ固定電話機３１のＩＰ電話番号とＩＰメールアドレス）とを含む転送情報を生成して、記憶部１０７の転送情報格納領域１０７ｃに格納する（ステップＳ１０３）。
【００５３】
制御部１０５は、転送情報をＩＰ固定電話機３１からＩＰ電話管理サーバ３５に転送する（ステップＳ１０４）。
ＩＰ電話管理サーバ３５の制御部４０１は、受信した転送情報を記憶部４０３の転送情報格納領域４０３ｂに格納する（ステップＳ１０５）。制御部４０１は、転送情報を携帯電話管理サーバ２３に転送する（ステップＳ１０６）。
【００５４】
携帯電話管理サーバ２３の制御部３０１は、受信した転送情報を記憶部３０３の転送情報格納領域３０３ｂに格納する（ステップＳ１０７）。
続いて、制御部３０１は、転送情報の登録が完了したことを示す登録完了通知をＩＰ電話管理サーバ３５に送信する（ステップＳ１０８）。ＩＰ電話管理サーバ３５の制御部４０１は、登録完了通知に応答して、携帯電話管理サーバ２３とＩＰ電話サーバ３５への転送情報の登録が終了したことを示す登録完了通知をＩＰ固定電話機３１に送信する。
以上の処理により、携帯電話及び電子メールの転送が可能となる。
【００５５】
以後、転送情報の転送元で特定される携帯電話機２４宛ての電話や電子メールは転送先で特定されるＩＰ固定電話機３１に転送される。この動作を、図７を参照して説明する。
【００５６】
（着信処理）
携帯電話管理サーバ２３の制御部３０１は、携帯電話機２４への呼び出し要求又は電子メールの着信を検出する（ステップＳ２０１）と、記憶部３０３の転送情報格納領域３０３ｂを検索し、呼び出す対象の携帯電話番号又は送信先の携帯メールアドレスが、転送元として転送情報格納領域３０３ｂに登録されているか否かを判別する（ステップＳ２０２）。
【００５７】
制御部３０１は、該当する携帯電話番号又は携帯メールアドレスが、転送元として転送情報格納領域３０３ｂに登録されていると判別された場合、該当する携帯電話番号又は携帯メールアドレスに対応づけられた転送先のＩＰ電話番号又はＩＰメールアドレスを取得する（ステップＳ２０３）。
【００５８】
なお、記憶部３０３に記憶された情報を検索した結果、該当する携帯電話番号が存在しない場合、制御部３０１は通常の呼び出しを行う。
【００５９】
制御部３０１は、通信部３０２を制御して、転送先の電話（すなわち、ＵＩＭカード１２５が装着されたＩＰ固定電話機３１）への呼び出し要求をＩＰ電話管理サーバ３５に送信し、又は、電子メールを転送する（ステップＳ２０４）。
【００６０】
ＩＰ電話管理サーバ３５の制御部４０１は、転送先のＩＰ固定電話機３１に呼び出し要求（発呼）を行い又は電子メールの転送を行う（ステップＳ２０５）。
【００６１】
なお、制御部４０１は、転送先のＩＰ固定電話機３１のＩＰ電話番号又はＩＰメールアドレスが、記憶部４０３の転送情報格納領域４０３ｂに記憶されているか否かを判別し、正しく登録されていれば呼び出し又は転送を行い、それ以外の場合には呼び出し又は転送ができない旨の通知を携帯電話管理サーバ２３に送信するように構成してもよい。
【００６２】
ＩＰ固定電話機３１の制御部１０５は、自端末への呼び出しがあった旨を検出し（ステップＳ２０６）、ユーザに通知する。例えば、制御部１０５は、音声処理部１０４を制御してスピーカ１１３から着信音を出力させたり、表示部１０３を制御して着信メッセージを表示させたりする。
【００６３】
そして、制御部１０５は、例えばユーザにより操作部１０２が操作されて通話を開始する指示を受け取ると、無線通信部１０１、音声処理部１０４などを制御して、通話を行う（ステップＳ２０７）。
【００６４】
このように、ＩＰ固定電話機３１又は３６は、ＵＩＭカード１２５が装着されると、ＵＩＭカード１２５に格納されている携帯電話番号への呼び出を受けることができる。すなわち、ＩＰ固定電話機３１は、ＵＩＭカード１２５が装着されれば、ＵＩＭカード１２５に格納されている情報で特定される携帯電話機２４の転送先電話及びＩＰ固定電話機として機能し、ＵＩＭカード１２５が装着されなければ通常のＩＰ固定電話機として機能する。
【００６５】
（転送情報削除処理）
ＩＰ固定電話機３１からＵＩＭカード１２５が取り外された場合、電話及び電子メールの転送を中止する必要がある。このため、通信システム１は、図８に示す転送情報削除処理を実行する。
【００６６】
まず、ＵＩＭカード１２５が装着されていたＩＰ固定電話機３１の制御部１０５は、ＵＩＭカード１２５が取り外されたことを検出すると（ステップＳ３０１）、転送情報を特定する情報とその転送情報を削除する旨の要求とを、ＩＰ電話管理サーバ３５に送信する（ステップＳ３０２）。ＩＰ電話管理サーバ３５の制御部４０１は、ＩＰ固定電話機３１から送信された要求に応答して、転送情報を特定する情報とその転送情報を削除する旨の要求とを、携帯電話管理サーバ２３に転送する（ステップＳ３０３）。
【００６７】
携帯電話管理サーバ２３の制御部３０１は、ＩＰ電話管理サーバ３５から送信された要求に応答して、記憶部３０３の転送情報格納領域３０３ｂに格納している転送情報のうち、要求されたものを削除する（ステップＳ３０４）。続いて、制御部３０１は、携帯電話管理サーバ２３の要求された転送情報の削除が完了したことを示す削除完了通知をＩＰ電話管理サーバ３５に送信する（ステップＳ３０５）。
【００６８】
次に、ＩＰ電話管理サーバ３５の制御部４０１は、携帯電話管理サーバ２３から送信された削除完了通知を受け、記憶部４０３の転送情報格納領域４０３ｂに格納している転送情報のうち、ステップＳ３０２で要求されたものを削除する（ステップＳ３０６）。続いて、携帯電話サーバ２３とＩＰ電話サーバ３５の要求された転送情報の削除が終了したことを示す削除完了通知をＩＰ固定電話機３１に送信する（ステップＳ３０７）。
【００６９】
ＩＰ固定電話機３１の制御部１０５は、ＩＰ電話管理サーバ３５から送信された削除完了通知を受け、ＵＩＭ記憶情報格納領域１０７ｂに記憶されているＵＩＭ記憶情報を削除する（ステップＳ３０８）。続いて、転送情報格納領域１０７ｃに格納されている転送情報を削除する（ステップＳ３０９）。
【００７０】
以上の処理により、携帯電話及び電子メールの転送のために登録されていた転送情報が削除され、電話及び電子メールの転送が停止する。
【００７１】
次に、図６及び図８で参照した個々の動作について、図９〜図１４のフローチャートを参照してより詳細に説明する。
（ＩＰ固定電話機３１のＵＩＭ情報及び転送情報の登録処理：Ｓ１０２〜Ｓ１０４、Ｓ１０９）
この処理は、ＩＰ固定電話機３１のカードＩ／Ｆ１０６にＵＩＭカード１２５が装着されたときに制御部１０５が実行する処理である。以下、図９のフローチャートを用いて説明する。
【００７２】
まず、前提として、ＩＰ固定電話機３１のカードＩ／Ｆ１０６にＵＩＭカード１２５が装着されると、カードＩ／Ｆ１０６は、制御部１０５に、ＵＩＭカード１２５が装着された旨の割込信号を送信する。制御部１０５は、この割込信号に応答して、図９のフローチャートに示す処理を開始する。
【００７３】
まず、制御部１０５は、装着されたＵＩＭカード１２５から、携帯電話番号、携帯メールアドレス、ユーザ名など携帯電話サービスに関する情報を読み出し、記憶部１０７のＵＩＭ記憶情報格納領域１０７ｂに格納する（ステップＳ５０１）。
【００７４】
次に、制御部１０５は、ＵＩＭ記憶情報に基づいて、転送情報を生成する。即ち、装着されたＵＩＭカード１２５に格納されている携帯電話番号や携帯メールアドレス宛に着信や電子メールの受信があったときに、その呼又は電子メールをこのＩＰ固定電話機３１に転送させるための図３（ｂ−１）、（ｂ−２）に示すような転送情報を生成し、これを記憶部１０７の転送情報格納領域１０７ｃに格納する（ステップＳ５０２）。
【００７５】
次に、制御部１０５は、無線通信部１０１を制御して、生成した転送情報をＩＰ電話管理サーバ３５に送信する（ステップＳ５０３）。なお、制御部１０５は、無線通信部１０１を制御して、転送情報を送信する旨の通知をＩＰ電話管理サーバ３５に送信し、ＩＰ電話管理サーバ３５から転送情報の送信要求を受信したときにステップＳ５０３の処理を行い、送信要求を受信しない（あるいは送信が許可されない）ときにはこの登録処理を終了するように構成してもよい。
【００７６】
ＩＰ電話管理サーバ３５の制御部４０１は、後述する「ＩＰ電話管理サーバ３５への登録処理」を実行して処理が正常に終了すると、通信部４０２を制御して、ＩＰ電話管理サーバ３５及び携帯電話管理サーバ２３側の登録処理が完了した旨の通知（登録完了通知）、あるいは登録できなかった旨の通知（登録不可通知）をＩＰ固定電話機３１に送信する（ステップＳ１０９）。ＩＰ固定電話機３１の無線通信部１０１は、ＩＰ電話管理サーバ３５からの通知を受信すると、制御部１０５にこの通知を供給する。制御部１０５は、ＩＰ電話管理サーバ３５及び携帯電話管理サーバ２３への登録処理が完了したか否かを判別する（ステップＳ５０４）。
【００７７】
ＩＰ電話管理サーバ３５及び携帯電話管理サーバ２３への登録処理が完了していないと判別された場合（ステップＳ５０４；ＮＯ）、制御部１０５は、ＩＰ電話管理サーバ３５及び携帯電話管理サーバ２３側の登録処理が完了した旨の通知を受け取るまで待機する（ステップＳ５０４を繰り返す）。なお、制御部１０５は、このステップの処理を開始してからの経過時間を計時し、所定のタイムアウト値以上の時間が経過したらこの登録処理を終了してもよい。この場合、制御部１０５は、所定回数（例えば３回など）、登録処理をリトライすることが望ましい。
【００７８】
一方、ＩＰ電話管理サーバ３５及び携帯電話管理サーバ２３への登録処理が完了したと判別された場合（ステップＳ５０４；ＹＥＳ）、制御部１０５は、この登録処理を終了する。
【００７９】
（ＩＰ電話管理サーバ３５への登録処理：Ｓ１０４〜Ｓ１０６、Ｓ１０８、Ｓ１０９）
この処理は、ステップＳ１０４で、図３（ｂ−１）、（ｂ−２）に示すような転送情報がＩＰ固定電話機３１からＩＰ電話管理サーバ３５に送信されたときに、制御部４０１が実行する処理である。以下、図１０のフローチャートを用いて説明する。
【００８０】
まず、通信部４０２は、情報を受信すると、これを制御部４０１に提供する。制御部４０１は、受信した情報が転送情報であるか否かを判別する（ステップＳ６０１）。
【００８１】
受信した情報が転送情報でないと判別された場合（ステップＳ６０１；ＮＯ）、制御部４０１は、受信した情報に対応する他の処理を行う（ステップＳ６０６）。
【００８２】
一方、受信した情報が転送情報であると判別された場合（ステップＳ６０１；ＹＥＳ）、制御部４０１は、受信した転送情報を記憶部４０３の転送情報格納領域４０３ｂに追加して格納する（ステップＳ６０２）。この結果、例えば、図４（ｂ）に示すように、転送情報格納領域４０３ｂは、ＩＰ電話番号、ＩＰメールアドレス、携帯電話番号、携帯メールアドレスなどを対応づけて記憶する。なお、転送情報格納領域４０３ｂは、この他にＩＰアドレス、ユーザ名、パスワードなどの情報も一緒に対応づけて記憶することができる。
【００８３】
さらに、制御部４０１は、通信部４０２を制御して、転送情報を携帯電話管理サーバ２３に送信する（ステップＳ６０３）。なお、制御部４０１は、通信部４０２を制御して、転送情報を送信する旨の通知を携帯電話管理サーバ２３に送信し、携帯電話管理サーバ２３からこの情報の送信要求を受信したときにステップＳ６０３処理を行い、この情報の送信要求を受信しない（あるいは送信が許可されない）ときにはこの登録処理を終了するように構成してもよい。
【００８４】
携帯電話管理サーバ２３の制御部３０１は、後述する「携帯電話管理サーバ２３へ登録処理」を実行して処理が正常に終了すると、通信部３０２を制御して、携帯電話管理サーバ２３への登録処理が完了した旨の通知、あるいは登録できなかった旨の通知をＩＰ電話管理サーバ３５に送信する（ステップＳ１０８）。
【００８５】
ＩＰ電話管理サーバ３５の通信部４０２は、携帯電話管理サーバ２３からの通知を受信すると、制御部４０１にこの通知を入力する。制御部４０１は、携帯電話管理サーバ２３への登録処理が完了したか否かを判別する（ステップＳ６０４）。
【００８６】
携帯電話管理サーバ２３側の登録処理が完了していないと判別された場合（ステップＳ６０４；ＮＯ）、制御部４０１は、携帯電話管理サーバ２３への登録処理が完了した旨の通知を受け取るまで待機する（ステップＳ６０４を繰り返す）。なお、制御部４０１は、このステップの処理を開始してからの経過時間を計時し、所定のタイムアウト値以上の時間が経過したらこの登録処理を終了してもよい。この場合、制御部４０１は、所定回数（例えば３回など）このＩＰ電話管理サーバ３５への登録処理をリトライすることが望ましい。
【００８７】
一方、携帯電話管理サーバ２３への登録処理が完了したと判別された場合（ステップＳ６０４；ＹＥＳ）、制御部４０１は、通信部４０２を制御して、ＩＰ電話管理サーバ３５及び携帯電話管理サーバ２３への登録処理が完了したことをＩＰ固定電話機３１に通知し（ステップＳ６０５）、この登録処理を終了する。
【００８８】
（携帯電話管理サーバ２３への登録処理：Ｓ１０６〜Ｓ１０８）
転送情報がＩＰ電話管理サーバ３５から携帯電話管理サーバ２３に送信されたときに、制御部３０１は、図１１に示す処理を行う。
【００８９】
まず、通信部３０２は、情報を受信すると、これを制御部３０１に提供する。制御部３０１は、受信した情報が転送情報であるか否かを判別する（ステップＳ７０１）。
【００９０】
受信した情報が転送情報ではないと判別された場合（ステップＳ７０１；ＮＯ）、制御部３０１は、受信した情報に対応する処理を行う（ステップＳ７０５）。
【００９１】
一方、受信した情報が転送情報であると判別された場合（ステップＳ７０１；ＹＥＳ）、制御部３０１は、受信した転送情報を記憶部３０３の転送情報格納領域３０３ｂに格納する（ステップＳ７０２）。
【００９２】
制御部３０１は、転送情報を、記憶部３０３に正常に登録できたか否かを判別する（ステップＳ７０３）。
【００９３】
登録できていないと判別された場合（ステップＳ７０３；ＮＯ）、制御部３０１は、正常に登録が終わるまで待機する（ステップＳ７０３を繰り返す）。なお、制御部３０１は、このステップの処理を開始してからの経過時間を計時し、所定のタイムアウト値以上の時間が経過したらこの登録処理を終了してもよい。この場合、制御部３０１は、通信部３０２を制御して、ＩＰ電話管理サーバ３５に再度携帯電話番号などの情報を送信するように要求し、「ＩＰ電話管理サーバ３５側の登録処理」及び「携帯電話管理サーバ２３側の登録処理」をリトライするように構成することが望ましい。
【００９４】
一方、登録できたと判別された場合（ステップＳ７０３；ＹＥＳ）、制御部３０１は、通信部３０２を制御して、携帯電話管理サーバ２３への登録処理が完了したことをＩＰ電話管理サーバ３５に通知し（ステップＳ７０４）、この登録処理を終了する。
【００９５】
このように、ＩＰ固定電話機３１にＵＩＭカード１２５が装着されると、ＩＰ固定電話機３１、ＩＰ電話管理サーバ３５、及び、携帯電話管理サーバ２３がそれぞれの登録処理を行うことにより、呼及び電子メールを転送するための転送情報がＩＰ電話管理サーバ３５及び携帯電話管理サーバ２３に登録される。そして、前述したように、転送情報に基づいてＩＰ電話管理サーバ３５及び携帯電話管理サーバ２３が連携して動作することにより、ＵＩＭカード１２５に格納された携帯電話番号への呼又は電子メールをＵＩＭカード１２５が装着されたＩＰ固定電話機３１に転送することが可能になる。
【００９６】
（ＩＰ固定電話機３１の削除処理：ステップＳ３０２、Ｓ３０７〜Ｓ３０９）
ＩＰ固定電話機３１のカードＩ／Ｆ１０６に装着されたＵＩＭカード１２５が取り外されたときに、制御部１０５は、図１２のフローチャートに示す削除処理を実行する。
【００９７】
まず、カードＩ／Ｆ１０６からＵＩＭカード１２５が取り外されると、カードＩ／Ｆ１０６は、その旨の信号（割り込み信号）を制御部１０５に送信する。
制御部１０５は、この信号（割り込み信号）に応答して、図１２の処理を開始する。
【００９８】
まず、制御部１０５は、転送情報の削除要求を、転送情報を特定してＩＰ電話管理サーバ３５に送信する（ステップＳ８０１）。
【００９９】
ステップＳ８０１で送信された転送情報の削除要求に応答して、ＩＰ電話管理サーバ３５の制御部４０１は、転送情報削除処理を行う。ＩＰ電話管理サーバ３５の制御部４０１は、この処理を行って、処理が正常に終了すると、通信部４０２を制御して、ＩＰ電話管理サーバ３５及び携帯電話管理サーバ２３での転送情報削除処理が完了した旨の通知、あるいは削除できなかった旨の通知をＩＰ固定電話機３１に送信する。制御部１０５は、ＩＰ電話管理サーバ３５及び携帯電話管理サーバ２３での転送情報削除処理が完了したか否かを判別する（ステップＳ８０２）。
【０１００】
ＩＰ電話管理サーバ３５及び携帯電話管理サーバ２３側の削除処理が完了していないと判別された場合（ステップＳ８０２；ＮＯ）、制御部１０５は、ＩＰ電話管理サーバ３５及び携帯電話管理サーバ２３での転送情報の削除が完了した旨の通知を受け取るまで待機する（ステップＳ８０２を繰り返す）。なお、制御部１０５は、このステップの処理を開始してからの経過時間を計時し、所定のタイムアウト値以上の時間が経過したらこの登録処理を終了してもよい。この場合、制御部１０５は、所定回数（例えば３回など）このＩＰ固定電話機３１の削除処理をリトライすることが望ましい。
【０１０１】
一方、ＩＰ電話管理サーバ３５及び携帯電話管理サーバ２３での転送情報削除処理が完了したと判別された場合（ステップＳ８０２；ＹＥＳ）、制御部１０５は、ＵＩＭ記憶情報格納領域１０７ｂに格納されているＵＩＭ記憶情報及び転送情報格納領域１０７ｃに格納されている転送情報を削除して（ステップＳ８０３）、この削除処理を終了する。
【０１０２】
（ＩＰ電話管理サーバ３５での転送情報削除処理：Ｓ３０２，Ｓ３０３、Ｓ３０５〜Ｓ３０７）
次に、ＩＰ電話管理サーバ３５は、転送情報の削除要求が、転送情報を特定してＩＰ電話３１から送信されたときに、図１３に示す転送情報削除処理を実行する。
【０１０３】
まず、通信部４０２は外部装置からの通信を受信すると、受信した情報を制御部４０１に提供する。制御部４０１は、提供された内容を解析し、受信した情報が、転送情報の削除要求であるか否かを判別する（ステップＳ９０１）。
【０１０４】
受信情報が転送情報の削除要求でないと判別された場合（ステップＳ９０１；ＮＯ）、制御部４０１は、受信した情報に対応する処理を実行する（ステップＳ９０６）。
【０１０５】
一方、受信した情報が転送情報の削除要求であると判別された場合（ステップＳ９０１；ＹＥＳ）、制御部４０１は、通信部４０２を介して、この転送情報の削除要求を、転送情報を特定して携帯電話管理サーバ２３に送信する（ステップＳ９０２）。
【０１０６】
なお、制御部４０１は、転送情報の削除を要求する通知を携帯電話管理サーバ２３に送信し、携帯電話管理サーバ２３から削除対象の転送情報を特定する情報の送信要求を受信したときにステップＳ９０３の処理を行い、この送信要求を受信しない（あるいは送信が許可されない）ときにはこの削除処理を終了するように構成してもよい。この場合、制御部４０１は、所定回数（例えば３回など）このＩＰ電話管理サーバ３５での転送情報削除処理をリトライすることが望ましい。
【０１０７】
携帯電話管理サーバ２３の制御部３０１は、後述する携帯電話管理サーバ２３での転送情報削除処理を実行して処理が正常に終了すると、通信部３０２を制御して、携帯電話管理サーバ２３での転送情報削除処理が完了した旨の通知、あるいは削除できなかった旨の通知をＩＰ電話管理サーバ３５に送信する（ステップＳ３０５）。制御部４０１は、携帯電話管理サーバ２３での転送情報削除処理が完了したか否かを判別する（ステップＳ９０３）。
【０１０８】
携帯電話管理サーバ２３での転送情報登削除処理が完了していないと判別された場合（ステップＳ９０３；ＮＯ）、制御部４０１は、携帯電話管理サーバ２３での転送情報削除処理が完了した旨の通知を受け取るまで待機する（ステップＳ９０３を繰り返す）。なお、制御部４０１は、このステップの処理を開始してからの経過時間を計時し、所定のタイムアウト値以上の時間が経過したらこの登録処理を終了してもよい。この場合、制御部４０１は、所定回数（例えば３回など）このＩＰ電話管理サーバ３５での転送情報削除処理をリトライすることが望ましい。
【０１０９】
一方、携帯電話管理サーバ２３での転送情報削除処理が完了したと判別された場合（ステップＳ９０３；ＹＥＳ）、制御部４０１は、記憶部４０３の転送情報格納領域４０３ｂに格納されている転送情報のうち、特定された転送情報を選択的に削除する（ステップＳ９０４）。制御部４０１は、通信部４０２を制御して、ＩＰ電話管理サーバ３５及び携帯電話管理サーバ２３での転送情報削除処理が完了したことをＩＰ固定電話機３１に通知し（ステップＳ９０５）、この削除処理を終了する。
【０１１０】
（携帯電話管理サーバ２３での転送情報削除処理：Ｓ３０３〜Ｓ３０５）
この処理は、転送情報の削除要求が、転送情報を特定してＩＰ電話管理サーバ３５から携帯電話管理サーバ２３に送信されたときに、制御部３０１が実行する処理である。以下、図１４のフローチャートを用いて説明する。
【０１１１】
まず、通信部３０２は外部装置からの通信を受信すると、受信した情報を制御部３０１に提供する。制御部３０１は、提供された情報を解析し、受信した情報が、転送情報の削除要求であるか否かを判別する（ステップＳ１００１）。
【０１１２】
受信情報が転送情報の削除要求でないと判別された場合（ステップＳ１００１；ＮＯ）、制御部３０１は、受信した情報に対応する処理を実行する（ステップS１００５）。
【０１１３】
一方、受信した情報が転送情報の削除要求であると判別された場合（ステップＳ１００１；ＹＥＳ）、制御部３０１は、記憶部３０３の転送情報格納領域３０３ｂに格納されている転送情報のうち、特定された転送情報を選択的に削除する（ステップＳ１００２）。
【０１１４】
制御部３０１は、削除を完了したか否かを判別する（ステップＳ１００３）。
【０１１５】
削除されていないと判別された場合（ステップＳ１００３；ＮＯ）、制御部３０１は、正常に削除が終わるまで待機する（ステップＳ１００３を繰り返す）。なお、制御部３０１は、このステップの処理を開始してからの経過時間を計時し、所定のタイムアウト値以上の時間が経過したらこの削除処理を終了してもよい。この場合、制御部３０１は、通信部３０２を制御して、ＩＰ電話管理サーバ３５に削除指令を再送信するように要求し、削除処理をリトライするように構成することが望ましい。
【０１１６】
一方、削除されたと判別された場合（ステップＳ１００３；ＹＥＳ）、制御部３０１は、通信部３０２を制御して、携帯電話管理サーバ２３での転送情報削除処理が完了したことをＩＰ電話管理サーバ３５に通知し（ステップＳ１００４）、この削除処理を終了する。
【０１１７】
以上説明したように、ＩＰ固定電話機３１は、ＵＩＭカード１２５が装着されると、ＵＩＭカード１２５に格納されている携帯電話番号及び携帯メールアドレスで特定される携帯電話機の転送先の電話機として用いることができる。すなわち、ＩＰ固定電話機３１は、ＵＩＭカード１２５が装着されれば、他の携帯電話機の転送先電話及びＩＰ固定電話機として、ＵＩＭカード１２５が装着されなければ通常のＩＰ固定電話機として、使い分けることができる。そして、ユーザは、帯電話機と同じ携帯電話番号でＩＰ電話による通話を行うことができる。
【０１１８】
ＩＰ移動電話機３６にＵＩＭカード１２５にＵＩＭカード１２５が装着されたときの動作は、基本的に上述の動作と同一である。この場合には、ＩＰ移動電話機３６は、ＵＩＭカード１２５が装着されると、ＵＩＭカード１２５に格納されている携帯電話番号及び携帯メールアドレスで特定される携帯電話機の転送先の電話機として用いることができる。すなわち、ＩＰ移動電話機３６は、ＵＩＭカード１２５が装着されれば、他の携帯電話機の転送先電話及びＩＰ移動電話機として、ＵＩＭカード１２５が装着されなければ通常のＩＰ移動電話機として、使い分けることができる。そして、ユーザは、帯電話機と同じ携帯電話番号でＩＰ電話による通話を行うことができる。
また、以上の説明では、ＵＩＭ記憶情報や転送情報をＩＰ固定電話機３１又はＩＰ移動電話機３６の記憶部１０７に格納するように説明したが、ＶＯＩＰルータ３３，３４に格納するようにしてもよい。
【０１１９】
即ち、ＵＩＭカード１２５がＩＰ電話機３１又は３６に装着された段階で、ＵＩＭ記憶情報や転送情報をＶｏＩＰルータ３３又は３４に送信し、これらに登録する。以後、ＶｏＩＰルータは、上述と同様の処理を行って、ＩＰ電話管理サーバ３５と形態電話管理サーバ２３に転送情報を登録する。ＶｏＩＰルータ３３，３４は、自己の配下のＩＰ電話宛に着信或いは転送があった場合には、対応するＩＰ電話に通話を接続する。ＩＰ電話機３１又は３６からＵＩＭカード１２５が取り外された場合には、ＵＩＭ情報及び／又は転送情報を特定して、その旨がＶｏＩＰルータ３３又は３４に通知される。ＶｏＩＰルータ３３，３４は、上述と同様の削除処理を行う。このような構成によっても、上述と同様の転送機能を達成することができる。
【０１２０】
本発明は、上述した実施形態に限られず、種々の変形及び応用が可能である。
【０１２１】
例えば、電話や電子メールを転送するための具体的な構成は任意に変更可能である。例えば、転送情報の内容や構造を適宜変更してもよい。また、記憶する装置毎に転送情報の内容や構造を適宜変更してもよい。例えば、ＩＰ電話管理サーバ３５及び携帯電話管理サーバ２３の記憶部４０３及び３０３に図３（ｂ）に例示するような転送情報の群を記憶しておき、さらに、各転送情報にデータが有効か無効かを示すフラグが対応づけられ、上述の各登録処理を行うときにはこのフラグに有効であることを示す所定値をセットし、上述の各削除処理を行うときにはこのフラグに無効であることを示す所定値をセットするように構成してもよい。これにより、ＩＰ電話管理サーバ３５及び携帯電話管理サーバ２３間で行われる通信のデータ量を少なくでき、上述した登録・削除処理を高速化することができる。
【０１２２】
他の変形例として、ＩＰ電話管理サーバ３５及び携帯電話管理サーバ２３は、記憶部４０３及び３０３に記憶された転送先の情報を所定のタイミング（例えば１時間ごとなど）で同期するように構成してもよい。これにより、記憶部４０３及び３０３に記憶される情報の整合性を確保することができ、この通信システムの信頼性が増す。
【０１２３】
他の変形例として、転送情報を記憶する別の共有サーバを設置し、ＩＰ電話管理サーバ３５及び携帯電話管理サーバ２３はこの共有サーバを記憶部４０３又は３０３として共用するように構成してもよい。これにより、記憶部４０３及び３０３にデータを記憶する処理を簡略化することができ、上述した登録・削除処理を高速化することができる。
【０１２４】
また、図１５に示すように、ＩＰ移動電話機３６を、移動通信網２及びインターネット網３に接続可能なように構成してもよい。このような構成とすれば、移動通信網２に接続されている場合、インターネットに接続されている場合、のいずれの場合においても、ＵＩＭカード１２５に格納された携帯電話番号に発呼されるとＩＰ移動電話機３６により通話を行うことができる。
【０１２５】
この場合、例えば、図１６に示すように、移動通信網２用の無線通信部１０１Ａ（ＵＩＭカード１２５に格納された携帯電話番号と携帯メールアドレスに応答する）とインターネット網３用の無線通信部１０１Ｂとを配置し、いずれの無線通信部１０１Ａ，１０１Ｂの両方が通信可能な状態にあるときには、携帯電話管理サーバ２３及びＩＰ電話管理サーバ３５上の転送情報を削除（又はオフ）しておき、移動通信網２用の無線通信部１０１Ａと基地局２２との間の通信が途絶えた時に、上述の転送情報登録処理を実行し、通信が復活したときに、転送情報削除処理を実行するようにしてもよい。
【０１２６】
上記実施形態では、動作プログラムが各装置に予め記憶されているものとして説明した。しかし、コンピュータを、上記各装置の全部又は一部として動作させ、あるいは、上述の処理を実行させるためのプログラムを、メモリカード、ＣＤ−ＲＯＭ（Compact Disc Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。また、携帯電話機を使用したものとして説明したが、ＰＤＡ（Personal Digital Assistance）などの他の携帯端末に適用することも可能である。
【０１２７】
さらに、インターネット上のサーバ装置が有するディスク装置等にプログラムを格納しておき、例えば、搬送波に重畳させて、コンピュータにダウンロード等するものとしてもよい。
【０１２８】
以上説明したように、本発明によれば、携帯電話と同じ電話番号でＩＰ電話による通話を行うために好適な通信装置、管理装置、及び、プログラムを提供することができる。
【図面の簡単な説明】
【０１２９】
【図１】本発明の実施形態の通信システムの構成を説明するための図である。
【図２】ＩＰ電話機の構成を説明するための図である。
【図３】ＩＰ電話機の記憶部に格納される情報の例を示す図であり、（ａ−１）と（ａ−２）は、ＵＩＭ記憶情報の例を示し、（ｂ−１）と（ｂ−２）は、転送情報の例を示す。
【図４】携帯電話管理サーバの構成と転送情報の構成例を説明するための図である。
【図５】ＩＰ電話管理サーバの構成を説明するための図である。
【図６】転送処理を実現するための転送情報登録処理を説明するための図である。
【図７】着信処理を説明するための図である。
【図８】転送情報を削除するための転送情報削除処理を説明するための図である。
【図９】ＩＰ電話機で実行される転送情報登録処理を説明するためのフローチャートである。
【図１０】ＩＰ電話管理サーバで実行される転送情報登録処理を説明するためのフローチャートである。
【図１１】携帯電話管理サーバで実行される転送情報登録処理を説明するためのフローチャートである。
【図１２】ＩＰ電話機で実行される転送情報削除処理を説明するためのフローチャートである。
【図１３】ＩＰ電話管理サーバで実行される転送情報削除処理を説明するためのフローチャートである。
【図１４】携帯電話管理サーバで実行される転送情報削除処理を説明するためのフローチャートである。
【図１５】移動電話機が移動通信網とインターネットの両方に接続可能な構成を有する場合の構成を説明するための図である。
【図１６】移動通信網とインターネットの両方に接続可能な移動電話機の構成例を示す図である。
【符号の説明】
【０１３０】
１・・・通信システム、２・・・携帯電話網、３・・・インターネット、４・・・ゲートウェイ、２１・・・交換機、２２・・・基地局、２３・・・携帯電話管理サーバ、３１・・・ＩＰ固定電話機、３２・・・基地局、３３・・・ＶｏＩＰルータ、３４・・・ＶｏＩＰルータ、３５・・・ＩＰ電話管理サーバ、３６・・・ＩＰ移動電話機
【図１】
2008017359.tif 000003
【図２】
2008017359.tif 000004
【図３】
2008017359.tif 000005
【図４】
2008017359.tif 000006
【図５】
2008017359.tif 000007
【図６】
2008017359.tif 000008
【図７】
2008017359.tif 000009
【図８】
2008017359.tif 000010
【図９】
2008017359.tif 000011
【図１０】
2008017359.tif 000012
【図１１】
2008017359.tif 000013
【図１２】
2008017359.tif 000014
【図１３】
2008017359.tif 000015
【図１４】
2008017359.tif 000016
【図１５】
2008017359.tif 000017
【図１６】
2008017359.tif 000018